(57)【特許請求の範囲】
【請求項１】
表側フォルダ形成シート及び裏側フォルダ形成シートを有し、少なくとも該表側フォルダ形成シート及び裏側フォルダ形成シートの一部が連結してなるフォルダにおいて、
該表側フォルダ形成シート又は裏側フォルダ形成シートが、表側フォルダ形成シート又は裏側フォルダ形成シートと一体である凸状シート片部を有し、
該凸状シート片部にはＩＣチップが配置されてなり、かつ該凸状シート片部と表側フォルダ形成シート又は裏側フォルダ形成シートにまたがるようにアンテナ線が配線配置されてなり、該ＩＣチップとアンテナ線が接続されてなることを特徴とするＩＣタグ付きフォルダ。
【請求項２】
該凸状シート片部の面積Ｓｂと、表側フォルダ形成シート又は裏側フォルダ形成シートの面積Ｓａの比Ｓａ／Ｓｂが、３０００〜３０であることを特徴とする請求項１記載のＩＣタグ付きフォルダ。
【請求項３】
表側フォルダ形成シート又は裏側フォルダ形成シートの厚みが０．１ｍｍ〜１．０ｍｍであることを特徴とする請求項１又は２記載のＩＣタグ付きフォルダ。
【請求項４】
前記表側フォルダ形成シート及び裏側フォルダ形成シートが、それぞれ底辺、２つの側辺、上辺の４辺を有する四角形状であり、
表側フォルダ形成シート及び裏側フォルダ形成シートの底辺及び側辺のうちの少なくとも１つが連結してなることを特徴とする請求項１〜３のいずれかに記載のＩＣタグ付きフォルダ。
【請求項５】
前記アンテナ線がループアンテナであることを特徴とする請求項１〜４のいずれかに記載のＩＣタグ付きフォルダ。
【請求項６】
前記アンテナ線が１巻きのループアンテナであることを特徴とする請求項５に記載のＩＣタグ付きフォルダ。
【発明の詳細な説明】
【技術分野】
【０００１】
本発明は、文書管理用のＩＣタグ付きの文書等をファイリングするフォルダに関する。
【背景技術】
【０００２】
従来文書を管理する際、文書管理用ＩＣタグが用いられている。例えば文書管理用ＩＣタグとしてラベル状のＩＣインレット（ＩＣチップ及びＩＣチップに接続されたアンテナ）を用い、文書書類に直接貼り付けたり、文書書類等を整理するためのファイルに貼り付けて用いていた。
また、特許文献１にはＩＣタグをとりつけた付箋を書籍にとりつけることで文書を管理する方法が記載されている。特許文献２には箱に予め設けておいた出っ張り部にＩＣタグラベルを貼り付けて管理する方法が記載されている。特許文献３には文書を整理するファイルの仕切りシートにＩＣタグを貼り付けて管理する方法が記載されている。
【０００３】
しかし、従来の文書管理用ＩＣタグとしてラベル状のインレットを用い、文書書類に直接貼り付けたり、文書書類等を整理するためのファイルに貼り付けて用いる場合、書類、ファイルが重なり合うことによりＩＣチップ部分に圧力が加わりチップが割れて破損する恐れがある。
また、ＩＣタグをとりつけた付箋を書籍にとりつける方法を用いる場合、付箋が書籍などから外れる恐れがあり、確実に文書管理できない恐れがある。
【０００４】
箱に予め設けておいた出っ張り部にＩＣタグラベルを貼り付けて管理する方法を用いる場合、重ねたときにＩＣチップが破損する恐れはないものの、出っ張り部が折れ曲がってしまう恐れがある。出っ張り部が折れ曲がるとＩＣチップが箱本体等他の部分と重なり破損する恐れがある。このようなことを避けるためには一つには出っ張り部の面積を小さくして、折れ曲がりにくくすることが考えられる。しかし、ＩＣチップとアンテナからなるＩＣタグの大きさは小さくすると十分な起電力が得られない。また、箱と出っ張り部の厚みを厚くすることで折れ曲がりにくくする方法も考えられるが、あまり厚みがありすぎると、ファイル、フォルダに応用したとき、重量がまし、かつ可撓性がなく嵩張るためファイル、フォルダとしてのハンドリング性が失われて使い勝手の悪いものとなる。
文書を整理するバインダの仕切りシートにＩＣタグを貼り付けて管理する方法を用いる場合、ＩＣタグの貼り付けてある仕切りシートと他の文書がかさなるため、同様にＩＣチップが破損する恐れがある。
【特許文献１】特開２００４−２６４１４２号公報
【特許文献２】特開２００７−０４５４４２号公報
【特許文献３】特開２００５−３４３０８２号公報
【発明の開示】
【発明が解決しようとする課題】
【０００５】
本発明は上記課題を鑑み、文書管理用のＩＣタグ付きのフォルダにおいて、ＩＣチップの破損がないフォルダを提供することを課題とする。
さらに、軽量でかつハンドリング性のよいフォルダを提供することを課題とする。
【課題を解決するための手段】
【０００６】
請求項１記載の発明は、表側フォルダ形成シート及び裏側フォルダ形成シートを有し、少なくとも該表側フォルダ形成シート及び裏側フォルダ形成シートの一部が連結してなるフォルダにおいて、該表側フォルダ形成シート又は裏側フォルダ形成シートが、表側フォルダ形成シート又は裏側フォルダ形成シートと一体である凸状シート片部を有し、該凸状シート片部にはＩＣチップが配置されてなり、かつ該凸状シート片部と表側フォルダ形成シート又は裏側フォルダ形成シートにまたがるようにアンテナ線が配線配置されてなり、該ＩＣチップとアンテナ線が接続されてなることを特徴とするＩＣタグ付きフォルダである。
このようにすることで、文書管理用のフォルダをＩＣチップ及びＩＣチップに接続されたアンテナを有するＩＣインレットを用いて管理できるとともに、凸状シート片部に設けてあるために、重ねてもＩＣチップが他のフォルダと接触して破損する恐れを低減することができる。
【０００７】
請求項２記載の発明は、該凸状シート片部の面積Ｓｂと、表側フォルダ形成シート又は裏側フォルダ形成シートの面積Ｓａの比Ｓａ／Ｓｂが、３０００〜３０であることを特徴とする請求項１記載のＩＣタグ付きフォルダである。
このようにすることで、凸状シート片部が折れ曲がる恐れを低減することができる。
【０００８】
請求項３記載の発明は、表側フォルダ形成シート又は裏側フォルダ形成シートの厚みが０．１ｍｍ〜１．０ｍｍであることを特徴とする請求項１又は２記載のＩＣタグ付きフォルダである。
このようにすることで、他のフォルダと重ねたときに、より確実にＩＣチップが他のフォルダと接触しないようにすることができる。
【０００９】
請求項４記載の発明は、前記表側フォルダ形成シート及び裏側フォルダ形成シートが、それぞれ底辺、２つの側辺、上辺の４辺を有する四角形状であり、
表側フォルダ形成シート及び裏側フォルダ形成シートの底辺及び側辺のうちの少なくとも１つが連結してなることを特徴とする請求項１〜３のいずれかに記載のＩＣタグ付きフォルダである。
【００１０】
請求項５記載の発明は、前記アンテナ線がループアンテナであることを特徴とする請求項１〜４のいずれかに記載のＩＣタグ付きフォルダである。
このようにすることで、ファイルの両端に組み込んだＲ／Ｗからの信号を効率良くかつ周囲の状況（ファイルの材質又はタグとファイル及び他の非金属物質との相対位置関係等）に比較的影響を受けずに安定して受信及び送信することが可能となる。
【００１１】
請求項６記載の発明は、前記アンテナ線が１巻きのループアンテナであることを特徴とする請求項５に記載のＩＣタグ付きフォルダである。
このようにすることで、ループアンテナの外側と内側を結ぶブリッジ線路を無くすことができ、コストダウン及びブリッジ部分の接触不良問題の解消が可能となる。
【発明の効果】
【００１２】
本発明によれば、文書管理用のＩＣタグ付きのフォルダにおいて、ＩＣチップの破損がないフォルダを提供することができる。さらには、通常のフォルダと同様に軽量でかつハンドリング性のよいフォルダとすることができる。
【発明を実施するための最良の形態】
【００１３】
本発明に用いるフォルダは、表側フォルダ形成シート及び裏側フォルダ形成シートを有し、少なくとも表側フォルダ形成シート及び裏側フォルダ形成シートの一部が連結してなるものである。
【００１４】
表側フォルダ形成シート及び裏側フォルダ形成シートの形状としてはとくに限定するものではないが、少なくとも表側フォルダ形成シート及び裏側フォルダ形成シートの一部が連結していることで、書類などを挟み込む空間を形成できることが必要である。
例えば、図１に示すように四角形状の表側フォルダ形成シート及び裏側フォルダ形成シートを用い、底辺及びどちらかの側辺で連結させてもよい。また底辺及び２つの側辺で連結させてもよい。
また、上記以外の形状でも半円状の表側フォルダ形成シート及び裏側フォルダ形成シートを用い、円弧状の底辺を連結させる形状にしてもよい。
【００１５】
連結の方法は、接着や熱融着による連結、糸状または針状の接合部材を用いた連結などを用いることができる。また、四角形状の表側フォルダ形成シート及び裏側フォルダ形成シート等を用いる場合、図２のように表側フォルダ形成シート及び裏側フォルダ形成シートが側辺部分で一体となっているシートを用い、この側辺部分を折り曲げることで連結部としフォルダを形成してもよい。
【００１６】
また、底辺及び／又は側辺にマチ部を設け、マチ部を介して連結をしてもよい。
【００１７】
また、図３に示すように表側フォルダ形成シート又は裏側フォルダ形成シートには、切り込み部を設けてもよい。切り込み部を設けることでフォルダを開けやすくすることができる。切り込み部の形状は特に限定するものではなく、例えば三角形状、四角形状、台形状、半円形状などがあげられる。
【００１８】
また、フォルダのサイズは特に限定するものではなく用途に応じた大きさのものを用いることができる。一般に書類等サイズが、名刺サイズ（５５×９０ｍｍ）〜Ａ３サイズ（２９７×４２０ｍｍ）であるため、それぞれ２〜１３ｍｍ程度大きいサイズであるものを用いることができる。中でもＡ４サイズ（２１０×２９７ｍｍ）の書類が多く用いられるため、２１２〜２２３×２９９〜３１０ｍｍ程度のものが多く用いられる。
【００１９】
表側フォルダ形成シート又は裏側フォルダ形成シートは、表側フォルダ形成シート又は裏側フォルダ形成シートと一体である凸状シート片部を有する。
凸状シート片部には、ＩＣチップを有し、凸状シート片部と表側フォルダ形成シート又は裏側フォルダ形成シートにまたがるようにアンテナが配置され、ＩＣチップと接続されている。図４に一例を示す。
凸状シート片部にＩＣチップを有することでフォルダを重ねたときでもＩＣチップが他の部分と接触することで破損するおそれがない。
また、アンテナを凸状シート片部と表側フォルダ形成シート又は裏側フォルダ形成シートにまたがるように配置することで、凸状シート片部の大きさを小さくすることができる。
【００２０】
凸状シート片部はどこに形成してもかまわないが、表側フォルダ形成シート又は裏側フォルダ形成シートの連結部ではない部分に形成することが好ましい。
例えば、図１に示すように、四角形状の表側フォルダ形成シート及び裏側フォルダ形成シート等を用いて、底辺部分と、側辺部の一方または双方を連結させてなるフォルダにおいて、非連結部である上辺の一部に表側フォルダ形成シート又は裏側フォルダ形成シートと一体である凸状シート片部を有することができる。
凸状シート片部は表側フォルダ形成シート又は裏側フォルダ形成シートと一体であることにより、折れ曲がりにくくすることができる。
【００２１】
凸状シート片部の形状は特に限定するものではなく、例えば四角形状、台形状や半円状などの形状とすることができる。
【００２２】
凸状シート片部の面積Ｓｂと、表側フォルダ形成シート又は裏側フォルダ形成シートの面積Ｓａの比Ｓａ／Ｓｂが、３０００〜３０の範囲内であることが好ましい。
なお、ここで表側フォルダ形成シート又は裏側フォルダ形成シートの面積Ｓａは、図４に示すように凸状シート片部と一体となっている場合、凸状シート片部を含まない面積である。
シートの材質にもよるが、これ以上であると、フォルダに対する凸状シート片部の面積が大きくなりすぎるために、凸状シート片部の自重等で折れ曲がる可能性がある。
これ以下であると、前述のように通常フォルダのサイズが５００〜１５００ｃｍ２でＩＣチップ及びチップを実装する周辺のアンテナパターンのサイズが０．５〜１ｃｍ２程度であるのでＩＣチップを凸状シート片部に収容できなくなる場合がある。
【００２３】
表側フォルダ形成シート又は裏側フォルダ形成シートとしては、例えば、樹脂からなるシートや紙からなるシートを用いることができる。
樹脂からなるシートとしては、例えばアクリル系、ポリエステル系、ポリカーボネート、ポリエチレン系、ポリプロピレン系、テフロン（登録商標）系のシートなどを用いることができる。
また、複数の層からなる樹脂シートや紙シートを用いてもよいし、樹脂シートや紙シートを張り合わせた合成シートを用いてもよい。
凸状シート片部も表側フォルダ形成シート又は裏側フォルダ形成シートと一体となっているため、同様である。
【００２４】
表側フォルダ形成シート又は裏側フォルダ形成シートの厚みは０．１ｍｍ〜１．０ｍｍの範囲内であることが好ましい。
これ以下であると、十分な強度がない。また図５に示すようにＩＣチップは、表側フォルダ形成シート又は裏側フォルダ形成シートの厚みより薄くないと、フォルダからＩＣチップがはみ出してしまうために隣のファイルの凸状シート片部、ＩＣチップと接触して破損するおそれがある。ＩＣチップの厚みが概ね１００μｍ〜２５０μｍの範囲内であるため、この範囲以下になると上述のように破損の恐れが生じてくる。
またこれ以上であると、厚くなりすぎるため、収容性が低下する。さらに、重量増加、可撓性の低下に伴ってハンドリング性が悪くなる。
【００２５】
ＩＣチップ及びアンテナを設ける方法は、特に限定しないが、例えば、アンテナを形成した後にICチップと接続することで形成することができる。
【００２６】
凸状シート片部と表側フォルダ形成シート又は裏側フォルダ形成シートにまたがるようにアンテナを形成する方法は、金属パターンの蒸着、エッチングによるパターン形成及びアンテナパターンの直接貼付等により形成することができる。
【００２７】
アンテナの形状、パターンは特に限定するものではないが、線状の導線をループさせたループ状アンテナであることが好ましい。ファイルの両端にリーダー／ライター（Ｒ／Ｗ）を組み込むことにより、Ｒ／Ｗからの信号を効率良くかつ周囲の状況（ファイルの材質又はタグとファイル及び他の非金属物質との相対位置関係等）に比較的影響を受けずに安定して受信及び送信することが可能となる。
【００２８】
また、ループ状アンテナを用いる場合１巻きのループアンテナを用いることが好ましい。
巻き数が１であることで、巻き数が２以上の時に必要なブリッジ線が不要になる。但し、ループアンテナの巻き数が減少した分、減らしたループの面積相当を補うように全体のアンテナサイズを大きくすることが望ましい。
【００２９】
ＩＣチップとアンテナの接続は、Ａｎｉｓｏｔｒｏｐｉｃ  Ｃｏｎｄｕｃｔｉｖｅ  Ｐａｓｔｅ（ＡＣＰ）、Ｎｏｎ  Ｃｏｎｄｕｃｔｉｖｅ  Ｐａｓｔｅ（ＮＣＰ）を用いたフリップチップ実装及び超音波接続や半田接続、圧着、溶接等を施した後にアンダーフィル材を塗布する等により実現することができる。
【００３０】
また、図６に示すように、裏面に粘着層を有するシール基材の表面上にＩＣチップ及びアンテナを設けたＩＣタグシールを用い、ＩＣチップ部分が凸状シート片部に、アンテナ部分が凸状シート片部と表側フォルダ形成シート又は裏側フォルダ形成シートにまたがるように張り合わせることでＩＣチップ、アンテナを形成してもよい。
【００３１】
また、ＩＣチップ上に保護層を設けてもよい。保護層を設けることにより、ICチップの破損を防ぐことができる。また、アンテナも覆うように凸状シート片部と表側フォルダ形成シート又は裏側フォルダ形成シートにまたがるように保護層を形成することで、アンテナの断線を防ぐとともに、凸状シート片部の折れ曲がる可能性がさらに低くなるものである。
保護層としては特に限定するものではなく、アクリル系やポリエステル系などの樹脂からなるフィルムシートを張り合わせたり、アクリル系やポリエステル系などの樹脂をコーティング、蒸着法などで形成することができる。
【図面の簡単な説明】
【００３２】
【図１】本発明のフォルダの一例（ＩＣチップ図示せず）を示す平面図である。
【図２】本発明のフォルダの一例（ＩＣチップ図示せず）を示す平面図である。
【図３】本発明のフォルダの一例（ＩＣチップ図示せず）を示す平面図である。
【図４】本発明のフォルダの一例を示す平面図である。
【図５】本発明のフォルダの一例を示す断面図である。
【図６】本発明のフォルダの一例を示す平面図である。
【図７】本発明のフォルダの一例を示す平面図である。
【符号の説明】
【００３３】
１・・・裏側フォルダ形成シート
２・・・表側フォルダ形成シート
３・・・連結部
４・・・底辺部
５・・・側辺部
６・・・上辺部
７・・・凸状シート片部
８・・・切込み部
９・・・ＩＣチップ
１０・・アンテナ
１１・・凸状シート片部の面積Ｓｂ
１２・・表側フォルダ形成シート又は裏側フォルダ形成シートの面積Ｓａ
１３・・ＩＣタグシール
【図１】
0005194810.tif 000002
【図２】
0005194810.tif 000003
【図３】
0005194810.tif 000004
【図４】
0005194810.tif 000005
【図５】
0005194810.tif 000006
【図６】
0005194810.tif 000007
【図７】
0005194810.tif 000008